(57)【要約】【課題】  簡単な構成でシート収納部の装置本体への装着時の衝撃によるシートのずれを防止する。【解決手段】  装置本体の奥側フレームＣ２ｂに当接してシート収納部の挿入位置を制限する突き当て部６２Ｂを、シート収納部１００の挿入方向の奥側でかつシート収納部１００の重心位置Ｇよりもシート給送方向に沿った上流側に設け、シート収納部１００を装置本体に装着したときの衝撃によるシートの旋回をシート収納部１００の筐体１００ａに固定されている先端規制部１７で抑えることにより、確実にシートのずれを防止する。【選択図】  図９
2010168135.tif 000002
【特許請求の範囲】
【請求項１】
シートを収納し、シートの給送方向と直交する方向に挿入及び引き出し可能に装置本体に支持されるシート収納部と、
前記シート収納部に固定されて設けられ、収納されるシートの給送方向下流側の位置を規制する先端規制部と、
前記シート収納部に移動可能に設けられ、収納されるシートの給送方向上流側の位置を規制する後端規制部と、
前記シート収納部に移動可能に設けられ、収納されるシートの給送方向と直交する方向の位置を規制する側端規制部と、
前記シート収納部に設けられ、前記シート収納部の挿入方向における前記装置本体の奥側のフレームに当接して前記シート収納部の挿入位置を制限する挿入位置制限部と、を備え、
前記挿入位置制限部を前記シート収納部の挿入方向の奥側でかつ前記シート収納部の重心位置よりもシート給送方向に沿った上流側に配置することを特徴とするシート給送装置。
【請求項２】
前記先端規制部は、シート収納部の箱状の筐体を構成する部品であることを特徴とする請求項１に記載のシート給送装置。
【請求項３】
前記シート収納部の挿入方向の奥側でかつ前記シート収納部の重心位置よりもシート給送方向に沿った下流側に補助挿入位置制限部を設け、前記補助挿入位置制限部における前記装置本体の奥側のフレームと当接する位置は前記挿入位置制限部における当接する位置よりも前記シート収納部の挿入方向で手前側に設定されていることを特徴とする請求項１又は２に記載のシート給送装置。
【請求項４】
前記請求項１乃至３のいずれか１項に記載のシート給送装置と、前記シート給送装置から送り出されたシートに画像を形成する画像形成部と、を備えたことを特徴とする画像形成装置。
【発明の詳細な説明】
【技術分野】
【０００１】
本発明は、積載されたシートからシートを１枚ずつ給送するためのシート給送装置及びそのシート給送装置を備えた画像形成装置に関する。
【背景技術】
【０００２】
従来、シートに画像を形成する画像形成装置としては、複写機、プリンタ、ファクシミリ等がある。ここで、複写機は、一般的に、原稿等の画像を読み取る機能を備え、読み取った画像を電子情報に変換し、この電子情報に基づいてシートに画像を形成するものである。なお、近年では通信機能等を備えて外部から送らてくれる画像の電子情報を受信する機能を備え、受信した画像の電子情報に基づいてシートに画像を形成するた複写機もある。
【０００３】
プリンタは、一般的に外部の装置、例えばコンピュータ等の装置から送られる画像の電子情報に基づいてシートに画像を形成するものである。また、ファクシミリは一般的に原稿等の画像を読み取る機能及び通信機能を備え、読み取った画像の電子情報を外部へ送り、また、外部から送られた画像の電子情報に基づいてシートに画像を形成するものである。そして、これらの画像形成装置には、装置本体の下部もしくは側面に、シートを積載収納するシート収納部と、シート収納部からシートを給送するシート給送部とを備えたシート給送装置が配置されている。このシート給送装置からシートが画像形成部に供給されて、画像形成部によってシートに画像が形成される。
【０００４】
このシート給送装置では、シート収納部からシートを給送する際に、給送されるシートの斜行や、シートにおけるシート給送方向と直交する方向（以下、幅方向という）のずれ（横ずれ）を防止する必要がある。このため、シート収納部には、収納されるシートの幅方向の位置を規制するためにシートの両側端に当接する一対の側端規制部材が設けられている。なお、複数サイズのシートを収納可能なシート収納部では、側端規制部材が収納されるシートのサイズに応じて幅方向に移動可能に設けられている。
【０００５】
ところで、いずれのサイズのシートでも幅方向の中央を搬送路の幅方向の中央と一致させて搬送させる、所謂中央基準搬送の画像形成装置では、操作性を良くするために一対の側端規制部材を連動可能としている。この連動させる機構としては、一対の側端規制部材のそれぞれに設けたラックとそれぞれのラックに噛合うピニオンとを用いているのが一般的である。この構成では、一対の側端規制部材の一方を移動させると一対の側端規制部材のラックがピニオンを回転させて他方の側端規制部材のラックを移動させて他方の側端規制部材を移動させる。
【０００６】
この構成の側端規制部材を備えたシート収納部においては、シートのサイズに応じて一対の側端規制部材の位置を決めた後は、側端規制部材が移動しないようにロック機構によりロックしている。このようなロック機構としては、シート収納部に固定されているラックギアに、側端規制部材に設けられ、ばねにより付勢されるラチェット歯を係合させて側端規制部材をロックするものが一般的である。
【０００７】
ところで、このような側端規制部材を備え、且つシート収納部の装置本体への挿入方向とシート収納部からシートを送り出す方向とが直交している画像形成装置では、次のような問題が生じている。
【０００８】
シートを補充したシート収納部を装置本体に急激に挿入すると、シート収納部が停止したときにシートの慣性で奥側の側端規制部材にシートから衝撃が加わる。そのため、奥側の側端規制部材がずれてしまうおそれがあり、ずれてしまうとシートの位置がずれてしまいシートと画像との位置が適正でない画像不良やシートが斜行して搬送路内でジャム（詰り）を起こすことがあった。特に、シートの収納量が多いシート収納部の場合には、シートの慣性力が大きくなるため顕著にこの問題が生じる。
【０００９】
そこで、この問題を解決するためには側端規制部材のロック機構のロックを確実にする必要がある。そのため、シート収納部を画像形成装置本体に装着する際の力を用いて、一対の側端規制部材を摩擦部材による摩擦力で固定するものが提案されている（特許文献１参照）。
【００１０】
また、複数のラックとピニオンで側端規制部材を移動させる構成において、ピニオンと同軸上にギアを設け、このギアを固定することにより側端規制部材をロックするようにしたものもある（特許文献２参照）。
【特許文献１】特開平９−１１０１９３号公報
【特許文献２】特開２００８−２８０１７５号公報
【発明の開示】
【発明が解決しようとする課題】
【００１１】
シートのずれを防止するための従来の側端規制部材をロックする構成では、色々な部品を追加しなくてはならず、構造も複雑となってコストが増加する。
【００１２】
そこで、本発明は上記問題を解決し、従来の構成から大幅な変更をすることなく、簡単な構成でシートを規制する規制部材のずれの発生を防止することができるシート給送装置及び画像形成装置を提供することを目的とする。
【課題を解決するための手段】
【００１３】
本発明は、シートを収納し、シートの給送方向と直交する方向に挿入及び引き出し可能に装置本体に支持されるシート収納部と、前記シート収納部に固定されて設けられ、収納されるシートの給送方向下流側の位置を規制する先端規制部と、前記シート収納部に移動可能に設けられ、収納されるシートの給送方向上流側の位置を規制する後端規制部と、前記シート収納部に移動可能に設けられ、収納されるシートの給送方向と直交する方向の位置を規制する側端規制部と、前記シート収納部に設けられ、前記シート収納部の挿入方向における前記装置本体の奥側のフレームに当接して前記シート収納部の挿入位置を制限する挿入位置制限部と、を備え、前記挿入位置制限部を前記シート収納部の挿入方向の奥側でかつ前記シート収納部の重心位置よりもシート給送方向に沿った上流側に配置することを特徴とする。
【発明の効果】
【００１４】
シート収納部を装置本体に急激に押し込んだときに、シート収納部の挿入方向の奥側でかつシート収納部の重心位置よりもシート給送方向に沿った上流側に配置されている挿入位置規制部が装置本体に突き当たってシート収納部が停止する。その際、収納されているシートはシート収納部の先端規制部に突き当たるように旋回するが、先端規制部はシート収納部に固定されているため、確実にシートの旋回を規制することができる。そのため、シートの旋回によって側端規制部や後端規制部をずらしたり破損させたりすることがなくなる。
【発明を実施するための最良の形態】
【００１５】
以下、本発明を実施するための実施の形態を図面を用いて詳細に説明する。図１は、本発明の第１の実施の形態に係るシート給送装置を備えた画像形成装置の一例であるプリンタの断面図である。
【００１６】
図１において、１０００はプリンタであり、このプリンタ１０００は、プリンタ本体１００１と、プリンタ本体１００１の上部に配置され、原稿を読み取るスキャナ２０００とを備えている。スキャナ２０００は、走査光学系光源２０１と、プラテンガラス２０２と、開閉する原稿圧板２０３と、レンズ２０４と、受光素子（光電変換）２０５と、を備えている。さらに、スキャナ２０００は、画像処理部２０６と、画像処理部２０６において処理された画像処理信号を記憶するメモリ部２０８を備えている。
【００１７】
そして、原稿を読み取る際には、プラテンガラス２０２の上に載置された不図示の原稿に走査光学系光源２０１によって光を照射することにより原稿上の画像等を読み取る。そして、読み取った原稿像は画像処理部２０６により処理された後、電気的に符号化された電気信号２０７に変換されて作像手段たるレーザスキャナ１１１に伝送される。なお、画像処理部２０６にて処理され、符号化された画像情報を一旦メモリ部２０８に記憶させ、後述するコントローラ１４０からの信号によって、必要に応じてレーザスキャナ１１１に伝送することもできる。
【００１８】
プリンタ本体１００１には、後述する画像形成部１００５と、プリンタ１０００を制御するための制御手段であるコントローラ１４０とを備えている。画像形成部１００５の下部には画像形成部１００５にシートＳを供給するシート給送装置Ｃ１が配置され、シート給送装置Ｃ１から給送されたシートＳはシート搬送装置１００４によって画像形成部１００５に搬送される。シート給送装置Ｃ１には、シートを一枚ずつ分離して級送するためのシート給送部１００２を備えている。
【００１９】
Ｃ２はオプションとしてプリンタ本体１００１に着脱自在に設けられているシート給送装置であり、大容量のシートが収容可能なペーパーデッキである。このシート給送装置Ｃ２も、シートＳを画像形成部１００５に向けて給送するするシート給送部１００２を備えている。
【００２０】
ここで、シート給送装置Ｃ１とシート給送装置Ｃ２とは基本構成が同じであるため、シート給送装置Ｃ２を用いて本発明の特徴部分を説明する。
【００２１】
シート給送装置Ｃ２には、引き出し可能に設けられたシート収納部１００が設けられており、シート収納部１００は図１において紙面の手前側に引き出し可能となっている。また、シート給送部１００２には、シートを送り出すピックアップローラ１０１と、シートを送り出す方向に回転するフィードローラ１０２と、シートを戻す方向に回転するリタードローラ１０３とを備えている。そして、ピックアップローラ１０１により送り出されたシートはフィードローラ１０２とリタードローラ１０３との間で一枚ずつに分離される。なお、プリンタ本体１００１に設けられているシート給送装置Ｃ１も、同様にピックアップローラ１０１と、フィードローラ１０２及びリタードローラ１０３とを備えている。なお、フィードローラ１０２とリタードローラ１０３のシート搬送方向下流側近傍には給紙センサ１０４が設けられており、この給紙センサ１０４によりシートＳの通過が検出できる。
【００２２】
シート搬送装置１００４は、搬送ローラ対１０５と、搬送ガイド１０９と、レジスト前ローラ対１３０及びレジストローラ対１１０から構成されるレジストローラ部とを備えている。シート給送装置Ｃ１から給送されたシートＳは搬送ローラ対１０５及びレジスト前ローラ対１３０により、停止しているレジストローラ対１１０に一旦突き当てられる。同様に、シート給送装置Ｃ２から送り出されたシートＳもレジスト前ローラ対１３０により、停止しているレジストローラ対１１０に一旦突き当てられる。そして、このように停止しているレジストローラ対１１０にシートＳの先端が突き当てられることにより、シート給搬送時にシートＳに発生する斜行が矯正され、この後、レジストローラ対１１０が回転することにより、シートＳは画像形成部１００５に搬送される。
【００２３】
画像形成部１００５は、感光ドラム１１２と、レーザスキャナ１１１と、現像器１１４と、転写帯電器１１５と、分離帯電器１１６等を備えている。そして、画像形成の際には、レーザスキャナ１１１からのレーザ光がミラー１１３によって折り返されて時計方向に回転する感光ドラム上の露光位置１１２ａに照射されることにより、感光ドラム１１２上に潜像が形成される。さらに、感光ドラム１１２上に形成された潜像は、現像器１１４によってトナー像として顕像化される。
【００２４】
なお、レーザ光の照射位置は、コントローラ１４０からの制御信号により、レーザ書き込み位置制御回路を介して変更することが可能となっている。これにより感光ドラム１１２上の軸方向、いわゆる主走査方向の潜像形成開始位置を変更することができる。
【００２５】
感光ドラム１１２上のトナー像は、転写部１１２ｂにおいて、転写帯電器１１５により搬送されてくるシートＳに転写される。さらに、このようにトナー像が転写されたシートＳは、分離帯電器１１６により感光ドラム１１２から静電分離された後、搬送ベルト１１７により定着装置１１８に搬送されてトナー像が定着される。この後、トナー像が定着されたシートＳは排出ローラ１１９によって装置の外に排出される。また、定着装置１１８と排出ローラ１１９の間の搬送経路中に排紙センサ１２０が設けられており、そこでのシートＳの通過が検出できる。
【００２６】
本実施の形態においては、プリンタ本体１００１とスキャナ２０００とは別体であるが、プリンタ本体１００１とスキャナ２０００とが一体の場合もある。また、プリンタ本体１００１はスキャナ２０００と別体でも一体でも、レーザスキャナ１１１にスキャナ２０００の処理信号を入力すれば複写機として機能し、ＦＡＸの送信信号を入力すればＦＡＸとして機能する。さらに、パソコンの出力信号を入力すれば、プリンタとしても機能する。逆に、スキャナ２０００の画像処理部２０６の処理信号を、他のＦＡＸに送信すれば、ＦＡＸとして機能する。また、スキャナ２０００において、原稿圧板２０３に変わって２点鎖線で示すような原稿自動送り装置２５０を装着するようにすれば、原稿を自動的に搬送して読み取ることもできる。
【００２７】
次に、シート給送装置Ｃ２のシート収納部１００について説明する。図２はシート収納部１００の斜視図であり、シート収納部１００は装置の骨組みである装置本体としてのフレームＣ２ａからスライドレール１９、２０に沿って引き出し可能となっている。この図中矢印Ａに示すシート収納部１００の引き出し方向は、図中矢印Ｂで示すシート給送方向と直交する方向（幅方向）である。そして、ユーザーによるシートＳの補充は、シート収納部１００を手前側（矢印Ａ方向）へ引き出して行われる。
【００２８】
シート収納部１００の概略平面図を図３に示す。プリンタ１０００は中央基準でシートを搬送する方式であり、シート収納部１００は画像形成部で画像形成が可能な最小サイズのシートから最大サイズのシートを収納可能としている。そのため、シート給送方向上流側のシートの位置を規制する後端規制部１３とシートの側方の位置を規制する側端規制部１６とは、シートの大きさに合わせて移動できるように、筐体１００ａにスライド移動可能に取り付けられている。後端規制部１３は図３中Ｈ方向（シート給送方向と同一方向）にスライド移動可能であり、側端規制部１６は図３中Ｖ方向（シート収納部の着脱方向と同一方向）にスライド移動可能となっている。後端規制部１３及び側端規制部１６は、一般的に用いられているロック機構によりスライドした位置で固定される。また、図２に示すように、筐体１００ａは後端側の一部が切り欠かれた箱状に形成されており、シート給送方向下流側には筐体１００ａの前壁を構成する先端規制部１７が固定されて設けられている。そして、リフター１２に積載されたシートＳの先端は先端規制部１７によって位置が規制される。
【００２９】
リフター１２は、不図示のリフト機構によりシート収納部１００内で鉛直方向に昇降可能に設けられており、積載されているシートＳの最上位を給送可能な位置に移動させることができる。
【００３０】
上述したように、後端規制部１３は種々のサイズのシートに対応するためにスライド移動可能に設けられているが、リフター１２の強度を保つため、後端規制部１３の幅Ｗ１は最小サイズのシートの幅よりも小さく構成されている。すなわち、後端規制部１３を移動可能とするためにリフター１２に切り欠き１２ａが形成されているが、この幅を極力小さくしてリフター１２の強度を保つため、後端規制部１３の幅を小さくしている。
【００３１】
また、本実施の形態においては、シート収納部１００は最大約２０００枚のシートを収納可能である。そのため、後端規制部１３は収納されたシートＳの後端を上下方向の全域で規制する必要があるため、図４に示すように高さ方向に細長く構成されている。その結果、後端規制部１３は、側端規制部１６やシート収納部１００の筐体１００ａを構成する先端規制部１７と比較して強度の確保が難しくなっている。
【００３２】
次に、シート収納部１００を装置本体としてのフレームＣ２ａに格納したときにフレームＣ２ａの内部で固定するためのロック機構について説明する。図５及び図６は、引き出されているシート収納部１００をフレームＣ２ａ内に挿入していく様子を示している。図５は、シート収納部１００の上視図であり、図６は右側面図である。シート収納部１００の後述する突き当て部６２にロックローラ６１が設けられており、フレームＣ２ａには、図中Ｌを中心に図６（ａ）中矢印Ｒ方向に回動可能に支持されたフック部６０が設けられている。フック部６０は図示しないロックばねにより図６（ａ）に示す状態に維持されている。
【００３３】
このロック機構によるロック動作を説明する。シート収納部１００を図５中Ｃ方向に押し込んでいくと、フレームＣ２ａに取り付けられているばね５９とシート収納部１００とが接触し、シート収納部１００を押し込んでいく際のショックを吸収する。その後、回動可能に支持されたフック部６０にロックローラ６１が突き当たる。
【００３４】
図６（ｂ）において、フック部６０がロックローラ６１に突き当たるとスロープ６０Ａによって図示しないロックばねの弾性力に抗して図６（ｂ）中矢印Ｒ１方向に回動する。そして、さらにシート収納部１００が押し込まれると、最終的にはロックローラ６１がフック部６０の溝部６０Ｂに嵌まり込む。図７（ａ）において、シート収納部１００は、ばね５９によって図中矢印Ａの方向に付勢されるが、フック部６０には不図示のロックばねによって図７（ａ）中Ｒ２方向に付勢されていることで位置決めされる。
【００３５】
本実施の形態の場合には、ユーザーがシート収納部１００を引き出せるように、ハンドル等の操作に連動してロックばねによる付勢を解除し、ばね５９の力によって自動的にばね５９のストローク分、シート収納部が押し出されるように構成されている。
【００３６】
ところで本実施の形態では、シート収納部１００はシートＳを約２０００枚収納可能であり、収納可能なシートの大きさは最大で幅１３ｉｎｃｈ（約３３０ｍｍ）、長さ１９ｉｎｃｈ（約４８３ｍｍ）である。そして、最大サイズのシートを最大枚数収納した場合には、坪量が大きいシートであればその総重量は約４０ｋｇに達する。
【００３７】
このような重量物をフレームＣ２ａ内に挿入する際の操作感を損なわないようにするために、シート収納部１００をスライドレールによって出し入れできるようにしている。しかしながら、シート収納部１００をスライドレールによって滑らかにスライド移動可能とすると、ユーザーがシート収納部１００を大きな力で押し込んだ場合に、シートの重量による慣性でフレームＣ２ａに大きな衝撃がかかる。ばね５９によってこのような衝撃を緩和するようにしているが、衝撃を確実に吸収するためには非常に強い弾性力のばねを用いなければならない。しかし、強い弾性力のばねを用いた場合には、ユーザーがシート収納部１００を押し込むために必要な押し込み力増え、逆に操作感を損なってしまうため強い弾性力のばねを用いることができない。
【００３８】
図７（ｂ）に示すように、ロック機構のフック部６０とロックローラ６１との係合のばらつきを考慮してシート収納部１００のオーバーストロークＶ１が設定されている。そのため、ばね５９でシート収納部１００の押し込み力を吸収しきれない場合には、シート収納部１００がオーバーストロークＶ１分後方に移動してしまう。
【００３９】
従来は、オーバーストロークＶ１は、図８に示すシート収納部１００の奥側の左右に設けた挿入位置制限部としての突き当て部６２Ａ、６２ＡとフレームＣ２ａの後側フレームＣ２ｂとで設定される。すなわち、シート収納部１００の突き当て部６２Ａ、６２Ａが後側フレームＣ２ｂに当接する位置までシート収納部１００がオーバーストローク可能となっている。
【００４０】
この構成では、シート収納部１００を急激にフレームＣ２ａ内に押し込んでオーバーストロークをして停止させられた場合には、シートＳ１は慣性により奥側の側端規制部１６Ａに衝突（押圧）して破損させるおそれがある。また、図８に示すように、側端規制部１６は大きなサイズを規制する場合に、給送方向のシートの前側を規制するがシートの後側を規制しない。そのため、シートは側端規制部１６に衝突した際に図８の２点鎖線で示すＳ２のように反時計回りに旋回しようとする。そして、このシートの旋回を後端規制部１３で規制することになるが、前述したように後端規制部１３は構造上強度が弱く大きな衝撃には耐えることができない。したがって、衝撃に耐えるためには部品を追加したり、形状を工夫するなどしたりする必要があり、コストが大幅に増加してしまうおそれがある。
【００４１】
また衝撃に耐えたとしても、それぞれの規制部にずれが生じると、積載されているシートＳが所定の位置からずれたり傾いたりするおそれがある。シートのずれや傾きは、シートのジャムを発生させたり、シートと画像形成位置とがずれて品質を低下させたりするなどの問題がある。
【００４２】
そこで、本実施の形態では図９に示すように、シート収納部１００の挿入方向の奥側でかつシート収納部１００の重心位置Ｇよりもシート給送方向に沿った上流側に挿入位置制限部としての突き当て部６２Ｂを設けている。この突き当て部６２Ｂは、シート収納部１００がフレームＣ２ａ内に挿入されてオーバーストロークしたときに後側フレームＣ２ｂに突き当たるように長さが設定されている。なお、シート収納部１００の重心位置Ｇは、積載されるシートのサイズや枚数により変化するが、突き当て部６２Ｂは必ず重心位置Ｇよりもシート給送方向に沿った上流側で後側フレームＣ２ｂに突き当たるように位置が設定されている。
【００４３】
このように構成することによって、図９において、向かって右側が急激に停止することでシートＳ１は図中に２点鎖線で示すＳ３のように時計周りに旋回しようとする。しかし、シートＳ１の旋回を奥側の側端規制部１６Ａと固定配置されている先端規制部１７で規制することになり、シートＳ１の旋回が抑えられる。
【００４４】
先端規制部１７は他の規制部とは異なり移動させる必要がないので筐体１００ａに固定されている。また本実施の形態の場合には、先端規制部１７はシート収納部１００の筐体１００ａの一部を構成している。筐体としては相応の剛性を備える必要があり、その結果先端規制部１７の強度も高くなっている。よって、図８に示す場合のように規制部の中でもっとも剛性の確保が難しい後端規制部１３に頼らずに先端規制部１７でシートの旋回を抑えるため確実にシートのずれを防止することが可能となる。
【００４５】
このように構造的に強い部分を先端規制部として用いることでシートのずれを確実に防止できる。また、その結果、シートのジャムの発生や画像品位の低下を防止できる。さらに、規制部の強度アップや複雑なロック機構、ダンパー等を設ける必要がないためコストダウンが可能となる。さらに衝撃を吸収するばねも強くする必要がないため、シート収納部がロックされるまで押し込むための力が少なくてすみ、ユーザーの操作性が向上する。
【００４６】
ところで、シート収納部１００の押し込み時に発生した衝撃によってシートによるずれを先端規制部によって防止できたとしても、その衝撃でシート収納部全体および、スライドレールやフレームを損傷させるおそれがある。そこで、この対策のために、図１０に示す他の実施の形態に示すように、図中向かって左側のシート収納部１００の挿入方向奥側にも補助挿入位置制限部としての補助突き当て部６２Ｃを設けてもよい。この補助突き当て部６２Ｃの先端部は突き当て部６２Ｂの先端部よりもＴだけ、シート収納部１００の挿入方向における手前側に位置している。
【００４７】
この構成によると、シート収納部１００を押し込んでオーバーストロークが発生して突き当て部６２Ｂが後側フレームＣ２ｂに突き当たったときの衝撃によって、シート収納部１００が全体的に時計回りに回転する。しかし、シート収納部１００が回転しても突き当て部６２Ｃが後側フレームＣ２ｂに当接してシート収納部１００の回転を制限することによって、部品や装置の損傷を防止することができる。なお、左右の突き当て部６２Ｂ、６２Ｃにおける先端位置の差Ｔは構成する部品の寸法ばらつき、組み付け作業時に発生する位置ずれを考慮して最小限度の値に設定している。
【００４８】
本実施の形態においては、図２におけるシートの給送方向が図中矢印Ｂ方向であり、先端規制部が図９において向かって左側に配置されているシート給送装置Ｃ２について説明した。シート給送装置Ｃ１のようにシートの給送方向および先端規制部の位置がシート給送装置Ｃ２とは逆になる場合は、突き当て部の先端位置の関係も左右逆にする。
【図面の簡単な説明】
【００４９】
【図１】本発明の実施の形態の画像形成装置の断面図
【図２】図１に示したシート給送装置の斜視図
【図３】図１に示したシート給送装置に設けられているシート収納部の平面図
【図４】図３に示したシート収納部の斜視図
【図５】図３に示したシート収納部の筐体への格納動作を説明する平面図
【図６】図３に示したシート収納部の筐体への格納したときのロック機構を説明する側面図
【図７】図３に示したシート収納部の筐体への格納したときのロック機構を説明する側面図
【図８】従来のシート収納部の格納動作を説明する平面図
【図９】本発明のシート収納部の格納動作を説明する平面図
【図１０】本発明の他の実施の形態のシート収納部の格納動作を説明する平面図
【符号の説明】
【００５０】
Ｃ２ａ  フレーム（装置本体）
Ｃ２ｂ  奥側フレーム
１３  後端規制部
１６  側端規制部
１６Ａ  奥側側端規制部
１７  先端規制部
６２Ｂ  突き当て部（挿入制限部）
６２Ｃ  補助突き当て部（補助挿入位置制限部）
１００  シート収納部
１００ａ  筐体
【図１】
2010168135.tif 000003
【図２】
2010168135.tif 000004
【図３】
2010168135.tif 000005
【図４】
2010168135.tif 000006
【図５】
2010168135.tif 000007
【図６】
2010168135.tif 000008
【図７】
2010168135.tif 000009
【図８】
2010168135.tif 000010
【図９】
2010168135.tif 000011
【図１０】
2010168135.tif 000012